(57)【要約】  操作画面上に割込報知画面が表示されたときに、ユーザーが操作画面を誤操作することを防止する。情報処理装置（１）に、タッチ操作可能な表示部（２１）と、文字を入力するための複数のソフトキー（Ｋ０〜Ｋ９）が配列された操作画面（Ｗ１）を表示部に表示する表示制御部（１１）と、ユーザーが入力する可能性の高い特定の文字列を示すデータを予め記憶する記憶部（４０）と、割込の発生を検知する割込検知部（１３）と、割込検知部により割込の発生が検知された場合、割込の発生を報知するための割込報知画面を操作画面に重ねて表示する割込報知部（１４）と、複数のソフトキーのうちユーザーが次に入力する可能性の高い文字に対応する第一ソフトキーを特定の文字列を示すデータを用いて予測する予測部（１２）とを備え、割込報知部（１４）は予測部（１２）により予測された第一ソフトキーが露出されるように割込報知画面（Ｗ２）を表示する。
2016147755.tif 000002
【特許請求の範囲】
【請求項１】
タッチ操作可能な表示部と、
文字を入力するための複数のソフトキーが配列された操作画面を前記表示部に表示する表示制御部と、
ユーザーが入力する可能性の高い特定の文字列を示すデータを予め記憶する記憶部と、
割込の発生を検知する割込検知部と、
前記割込検知部により前記割込の発生が検知された場合、前記割込の発生を報知するための割込報知画面を前記操作画面に重ねて表示する割込報知部と、
前記複数のソフトキーのうちユーザーが次に入力する可能性の高い文字に対応する第一ソフトキーを前記特定の文字列を示すデータを用いて予測する予測部と、
を備え、
前記割込報知部は、前記予測部により予測された前記第一ソフトキーが露出されるように前記割込報知画面を表示する情報処理装置。
【請求項２】
前記予測部は、前記複数のソフトキーが何れもタッチ操作されていない場合、前記特定の文字列の先頭文字に対応するソフトキーを前記第一ソフトキーとする請求項１に記載の情報処理装置。
【請求項３】
前記予測部は、前記複数のソフトキーのタッチ操作により入力された入力文字列が、前記特定の文字列において先頭文字から始まる部分文字列と一致する場合、前記特定の文字列において前記部分文字列の最終文字の次の文字に対応するソフトキーを前記第一ソフトキーとする請求項１に記載の情報処理装置。
【請求項４】
前記予測部は、前記複数のソフトキーのタッチ操作により入力された入力文字列が、前記特定の文字列において先頭文字から始まる部分文字列と一致する場合、前記特定の文字列において前記部分文字列の最終文字の次の文字に対応するソフトキーを前記第一ソフトキーとする請求項２に記載の情報処理装置。
【請求項５】
前記予測部は、更に、前記複数のソフトキーのうち、ユーザーが次の次に入力する可能性の高い文字に対応する第二ソフトキーを前記特定の文字列を示すデータを用いて予測し、
前記割込報知部は、前記予測部により予測された前記第一ソフトキー及び前記第二ソフトキーが露出されるように前記割込報知画面を表示する請求項１に記載の情報処理装置。
【請求項６】
前記予測部は、前記複数のソフトキーが何れもタッチ操作されていない場合、前記特定の文字列の先頭文字に対応するソフトキーを前記第一ソフトキーとし、前記特定の文字列において先頭文字の次の文字に対応するソフトキーを前記第二ソフトキーとする請求項５に記載の情報処理装置。
【請求項７】
前記予測部は、前記複数のソフトキーのタッチ操作により入力された入力文字列が、前記特定の文字列において先頭文字から始まる部分文字列と一致する場合、前記特定の文字列において前記部分文字列の最終文字の次の文字に対応するソフトキーを前記第一ソフトキーとし、前記特定の文字列において前記部分文字列の最終文字の次の次の文字に対応するソフトキーを前記第二ソフトキーとする請求項５に記載の情報処理装置。
【請求項８】
前記予測部は、前記複数のソフトキーのタッチ操作により入力された入力文字列が、前記特定の文字列において先頭文字から始まる部分文字列と一致する場合、前記特定の文字列において前記部分文字列の最終文字の次の文字に対応するソフトキーを前記第一ソフトキーとし、前記特定の文字列において前記部分文字列の最終文字の次の次の文字に対応するソフトキーを前記第二ソフトキーとする請求項６に記載の情報処理装置。
【請求項９】
タッチ操作可能な表示部を備えた情報処理装置における画面表示方法であって、
前記情報処理装置は、ユーザーが入力する可能性の高い特定の文字列を示すデータを予め記憶する記憶部を備え、
前記情報処理装置のコンピューターに、
文字を入力するための複数のソフトキーが配列された操作画面を前記表示部に表示させ、
割込の発生を検知させ、
前記割込の発生が検知された場合、前記複数のソフトキーのうちユーザーが次に入力する可能性の高い文字に対応する第一ソフトキーを前記特定の文字列を示すデータを用いて予測させ、当該予測された前記第一ソフトキーが露出されるように前記割込の発生を報知するための割込報知画面を前記操作画面に重ねて表示させる。
【請求項１０】
タッチ操作可能な表示部を備えた情報処理装置のコンピューターを機能させる制御プログラムであって、
前記情報処理装置は、ユーザーが入力する可能性の高い特定の文字列を示すデータを予め記憶する記憶部を備え、
前記情報処理装置のコンピューターを、
文字を入力するための複数のソフトキーが配列された操作画面を前記表示部に表示する表示制御部と、
割込の発生を検知する割込検知部と、
前記割込検知部により前記割込の発生が検知された場合、前記割込の発生を報知するための割込報知画面を前記操作画面に重ねて表示する割込報知部と、
前記複数のソフトキーのうちユーザーが次に入力する可能性の高い文字に対応する第一ソフトキーを前記特定の文字列を示すデータを用いて予測する予測部として機能させ、
前記割込報知部は、前記予測部により予測された前記第一ソフトキーが露出されるように前記割込報知画面を表示する。
【発明の詳細な説明】
【技術分野】
【０００１】
本発明は、情報処理装置、画面表示方法及び制御プログラムに関し、特に、タッチ操作可能な表示部に割込の発生を報知するための画面を表示する技術に関する。
【背景技術】
【０００２】
従来から、タッチ操作可能な表示部に操作画面が表示されている場合に、割込が発生したとき、当該割込の発生を報知するための画面と当該操作画面とを表示部に同時に表示する技術が知られている。【０００３】
例えば、下記特許文献１には、機能の操作を行うための単一の操作画面の表示中に別の機能の割込要求が発生した場合、当該単一の操作画面を二分の一に縮小して、当該縮小した単一の操作画面と当該別の機能の操作を行うための操作画面とを同時に表示することが開示されている。【０００４】
また、下記特許文献２には、ジョブＡの設定用画面の表示中にジョブＢの割込命令が入力された場合、ジョブＡの設定画面とジョブＢの設定画面とをそれぞれ表示するための識別子を選択可能に表示し、ユーザーが選択した識別子に対応する何れか一の設定画面を表示することが開示されている。
【先行技術文献】
【特許文献】
【０００５】
【特許文献１】特開２０１２−８７２６号公報
【特許文献２】特開２００８−２４１９６３号公報
【発明の概要】
【発明が解決しようとする課題】
【０００６】
しかし、上記特許文献１に開示の技術では、ユーザーが操作画面を用いた操作を繰り返している最中に割込が発生した場合、ユーザーは、操作画面が縮小されたことに気づかず、縮小された操作画面において意図しない操作用部品を誤ってタッチ操作する虞があった。また、上記特許文献２に開示の技術では、割込の発生後、ユーザーは、操作する対象の設定画面に対応する識別子を選択する操作を行う手間が必要になり、迅速に意図した操作を行えない虞があった。【０００７】
本発明は、上記の問題を解決するためになされたものであり、操作画面上に割込報知画面が表示されたときに、ユーザーが操作画面を誤操作することを防止できる情報処理装置、画面表示方法及び制御プログラムを提供することを目的とする。
【課題を解決するための手段】
【０００８】
上記目的を達成する本発明の第１の局面に係る情報処理装置は、タッチ操作可能な表示部と、文字を入力するための複数のソフトキーが配列された操作画面を前記表示部に表示する表示制御部と、ユーザーが入力する可能性の高い特定の文字列を示すデータを予め記憶する記憶部と、割込の発生を検知する割込検知部と、前記割込検知部により前記割込の発生が検知された場合、前記割込の発生を報知するための割込報知画面を前記操作画面に重ねて表示する割込報知部と、前記複数のソフトキーのうちユーザーが次に入力する可能性の高い文字に対応する第一ソフトキーを前記特定の文字列を示すデータを用いて予測する予測部と、を備え、前記割込報知部は、前記予測部により予測された前記第一ソフトキーが露出されるように前記割込報知画面を表示する。【０００９】
また、本発明の第２の局面に係る画面表示方法は、タッチ操作可能な表示部を備えた情報処理装置における画面表示方法であって、前記情報処理装置は、ユーザーが入力する可能性の高い特定の文字列を示すデータを予め記憶する記憶部を備え、前記情報処理装置のコンピューターに、文字を入力するための複数のソフトキーが配列された操作画面を前記表示部に表示させ、割込の発生を検知させ、前記割込の発生が検知された場合、前記複数のソフトキーのうちユーザーが次に入力する可能性の高い文字に対応する第一ソフトキーを前記特定の文字列を示すデータを用いて予測させ、当該予測された前記第一ソフトキーが露出されるように前記割込の発生を報知するための割込報知画面を前記操作画面に重ねて表示させる。【００１０】
また、本発明の第３の局面に係る制御プログラムは、タッチ操作可能な表示部を備えた情報処理装置のコンピューターを機能させる制御プログラムであって、前記情報処理装置は、ユーザーが入力する可能性の高い特定の文字列を示すデータを予め記憶する記憶部を備え、前記情報処理装置のコンピューターを、文字を入力するための複数のソフトキーが配列された操作画面を前記表示部に表示する表示制御部と、割込の発生を検知する割込検知部と、前記割込検知部により前記割込の発生が検知された場合、前記割込の発生を報知するための割込報知画面を前記操作画面に重ねて表示する割込報知部と、前記複数のソフトキーのうちユーザーが次に入力する可能性の高い文字に対応する第一ソフトキーを前記特定の文字列を示すデータを用いて予測する予測部として機能させ、前記割込報知部は、前記予測部により予測された前記第一ソフトキーが露出されるように前記割込報知画面を表示する。【００１１】
本構成によれば、タッチ操作可能な表示部に操作画面が表示されている場合に割込報知画面が表示されるとき、操作画面に表示された複数のソフトキーのうち、ユーザーが次に入力する可能性の高い文字に対応する第一ソフトキーが露出されるよう、第一ソフトキー以外の位置に割込報知画面が表示される。これにより、第一ソフトキーが割込報知画面によって隠れることが防止できる。その結果、ユーザーは、操作画面に表示された複数のソフトキーのうち、次にタッチ操作する可能性の高い第一ソフトキーを誤らずに且つ迅速にタッチ操作することができる。
【発明の効果】
【００１２】
この発明によれば、操作画面上に割込報知画面が表示されたときに、ユーザーが操作画面を誤操作することを防止できる。
【図面の簡単な説明】
【００１３】
【図１】本発明の情報処理装置の一実施形態に係る携帯装置の電気的構成を示すブロック図である。
【図２】本発明の操作画面の一実施形態に係るロック解除画面の一例を示す図である。
【図３】本発明の特定の文字列を示すデータの一実施形態に係るパスワードを示すデータの一例を示す図である。
【図４】第一ソフトキーが予測されなかった場合における本発明の割込報知画面の一実施形態に係るメール受信通知画面の表示態様の一例を示す図である。
【図５】第一ソフトキーが予測された場合におけるメール受信通知画面の表示態様の一例を示す図である。
【図６】携帯装置のロック状態を解除する動作を示すフローチャートである。
【図７】第一ソフトキー及び第二ソフトキーが予測された場合におけるメール受信通知画面の表示態様の一例を示す図である。
【発明を実施するための形態】
【００１４】
以下、本発明に係る情報処理装置、画面表示方法及び制御プログラムの一実施形態を図面に基づいて説明する。本実施形態では、情報処理装置としてスマートフォンやタブレット等の携帯装置を例に説明するが、本発明に係る情報処理装置をこれに限定する趣旨ではない。本発明に係る情報処理装置は、例えば、ファクシミリ装置、コピー機、プリンター、又は複合機等の画像形成装置や、カーナビゲーション装置や、パーソナルコンピューター等の、タッチ操作可能な表示部を備えた電子機器であってもよい。
【００１５】
図１は、本発明の情報処理装置の一実施形態に係る携帯装置１の電気的構成を示すブロック図である。図１に示すように、携帯装置１は、操作表示部２０と、通信部３０と、記憶部４０と、制御部１０と、を備えている。
【００１６】
操作表示部２０は、タッチパネル機能を有する液晶ディスプレイ等のタッチ操作可能な表示部２１と、携帯装置１を起動するための起動ボタン２２と、を備えている。
【００１７】
通信部３０は、無線通信モジュールにより構成され、公衆電話網やインターネット等のネットワークを介して無線通信を行う。例えば、通信部３０は、メールサーバーによって送信された、電子メールの受信通知を示すデータを受信する。
【００１８】
記憶部４０は、フラッシュメモリー等の不揮発性メモリーである。記憶部４０には、後述するように、携帯装置１のロック状態を解除するために入力が必要な四桁の数字からなるパスワード（特定の文字列）を示すデータ等、携帯装置１の動作に必要な各種データが予め記憶されている。
【００１９】
制御部１０は、所定の演算処理を実行する不図示のＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不図示の不揮発性メモリーと、データを一時的に記憶するための不図示のＲＡＭ（Ｒａｎｄｏｍ  Ａｃｃｅｓｓ  Ｍｅｍｏｒｙ）と、これらの周辺回路等とを備えたマイクロコンピューター（コンピューター）である。制御部１０は、上記不揮発性メモリーに記憶された制御プログラムをＣＰＵによって実行することによって、携帯装置１内の各部の動作を制御する。
【００２０】
例えば、制御部１０は、携帯装置１の起動中に起動ボタン２２が押下された場合に、携帯装置１をロック状態にする。ロック状態とは、表示部２１のタッチ操作によって携帯装置１の操作を行えない状態である。また、制御部１０は、携帯装置１のロック状態を解除する動作に関連し、特に、表示制御部１１、予測部１２、割込検知部１３及び割込報知部１４として機能する。
【００２１】
表示制御部１１は、携帯装置１がロック状態のときに起動ボタン２２が押下された場合、図２に示すロック解除画面Ｗ１を表示部２１に表示する。図２は、本発明の操作画面の一実施形態に係るロック解除画面Ｗ１の一例を示す図である。
【００２２】
図２に示すように、ロック解除画面Ｗ１には、１０個の数字「０」〜「９」をそれぞれ入力するための１０個のソフトキーＫ０〜Ｋ９が配列されている。ロック解除画面Ｗ１では、１０個のソフトキーＫ０〜Ｋ９のうちの何れかのタッチ操作を四回行うことにより、四桁の数字が入力可能となっている。制御部１０は、ロック解除画面Ｗ１を用いて入力された四桁の数字が上記パスワードが示す四桁の数字に一致する場合、携帯装置１のロック状態を解除する。
【００２３】
このように、パスワードは、ユーザーが携帯装置１のロック状態を解除する度に、ロック解除画面Ｗ１を用いて入力される文字列であり、ロック解除画面Ｗ１を用いてユーザーが入力する可能性の高い文字列を示している。
【００２４】
予測部１２は、ロック解除画面Ｗ１内の１０個のソフトキーＫ０〜Ｋ９のうち、ユーザーが次に入力する可能性の高い文字に対応する第一ソフトキーを、記憶部４０に記憶されているパスワードを示すデータを用いて予測する。
【００２５】
図３は、本発明の特定の文字列を示すデータの一実施形態に係るパスワードを示すデータの一例を示す図である。例えば、図３に示すように、記憶部４０には、パスワード「０６２６」を示すデータが予め記憶されているとする。この場合、予測部１２は、ロック解除画面Ｗ１の１０個のソフトキーＫ０〜Ｋ９が何れもタッチ操作されていないときは、パスワードの先頭文字「０」に対応するソフトキーＫ０を、ユーザーが次に入力する可能性の高い文字に対応する第一ソフトキーとして予測する。
【００２６】
一方、ユーザーがソフトキーＫ０とソフトキーＫ６とを順次タッチ操作し、二桁の数字からなる入力文字列「０６」を入力していたとする。この場合、予測部１２は、入力文字列「０６」がパスワードにおいて先頭文字「０」から始まる部分文字列「０６」と一致すると判断する。そして、予測部１２は、パスワードにおいて上記部分文字列「０６」の最終文字「６」の次の文字「２」に対応するソフトキーＫ２を第一ソフトキーとして予測する。
【００２７】
尚、ユーザーがソフトキーＫ５とソフトキーＫ６とを順次タッチ操作し、入力文字列「５６」を入力していたとする。この場合、予測部１２は、入力文字列「５６」がパスワードにおいて先頭文字「０」から始まる部分文字列「０６」と一致しないので、ユーザーがパスワードとは異なる四桁の数字を入力していると判断する。この場合、予測部１２は、ユーザーが次に入力する可能性が高い文字をパスワードを用いて予測できないので、第一ソフトキーを予測しない。
【００２８】
割込検知部１３は、割込の発生を検知する。具体的には、割込検知部１３は、表示部２１にロック解除画面Ｗ１が表示されている場合に、上記の電子メールの受信通知を示すデータが通信部３０によって受信されたとき、ロック解除画面Ｗ１の外部によるデータ入力の割込が発生したとして、当該割込の発生を検知する。
【００２９】
割込報知部１４は、割込検知部１３により割込の発生が検知された場合、当該割込の発生を報知するためのメール受信通知画面（割込報知画面）をロック解除画面Ｗ１に重ねて表示する。尚、割込報知部１４は、予測部１２により第一ソフトキーが予測されなかった場合は所定位置にメール受信通知画面を表示し、予測部１２により第一ソフトキーが予測された場合は第一ソフトキーが露出されるようにメール受信通知画面を表示する。
【００３０】
図４は、第一ソフトキーが予測されなかった場合における本発明の割込報知画面の一実施形態に係るメール受信通知画面Ｗ２の表示態様の一例を示す図である。図５は、第一ソフトキーが予測された場合におけるメール受信通知画面Ｗ２の表示態様の一例を示す図である。
【００３１】
例えば、第一ソフトキーが予測されなかった場合、割込報知部１４は、図４に示すように、ソフトキーＫ４〜Ｋ６が配列された位置に予め定められた所定位置において、メール受信通知画面Ｗ２をロック解除画面Ｗ１に重ねて表示する。
【００３２】
一方、予測部１２により、例えば、ソフトキーＫ６が第一ソフトキーとして予測されたとする。この場合、割込報知部１４は、図５に示すように、第一ソフトキーとして予測されたソフトキーＫ６が露出されるよう、上記の所定位置（図５の点線部）に代えて、ソフトキーＫ１〜Ｋ３が配列された位置において、メール受信通知画面Ｗ２をロック解除画面Ｗ１に重ねて表示する。
【００３３】
以下、制御部１０による携帯装置１のロック状態を解除する動作について説明する。図６は、携帯装置１のロック状態を解除する動作を示すフローチャートである。表示制御部１１は、携帯装置１がロック状態のときに起動ボタン２２が押下されると、ロック解除画面Ｗ１を表示部２１に表示する（Ｓ１）。
【００３４】
そして、ロック解除画面Ｗ１内の１０個のソフトキーＫ０〜Ｋ９を用いた四桁の数字の入力が終了していない場合に（Ｓ２；ＮＯ）、割込検知部１３が割込の発生を検知したとする（Ｓ３；ＹＥＳ）。
【００３５】
この場合、予測部１２は、上述のように、記憶部４０に記憶されたパスワードを示すデータを用いて第一ソフトキーを予測する（Ｓ４）。
【００３６】
予測部１２により第一ソフトキーが予測された場合（Ｓ４；ＹＥＳ）、割込報知部１４は、仮に上記の所定位置にメール受信通知画面Ｗ２を表示したとき、当該予測された第一ソフトキーが露出されるか否かを判定する（Ｓ５）。
【００３７】
例えば、ステップＳ４において、予測部１２がソフトキーＫ０を第一ソフトキーとして予測したとする。この場合、ステップＳ５において、割込報知部１４は、図４に示すように、仮に上記の所定位置（ソフトキーＫ４〜Ｋ６が配列された位置）にメール受信通知画面Ｗ２を表示したとき、第一ソフトキーとしてのソフトキーＫ０が露出されると判定する（Ｓ５；ＹＥＳ）。この場合、割込報知部１４は、図４に示すように、上記の所定位置において、メール受信通知画面Ｗ２をロック解除画面Ｗ１に重ねて表示する（Ｓ７）。
【００３８】
一方、ステップＳ４において、予測部１２がソフトキーＫ６を第一ソフトキーとして予測したとする。この場合、ステップＳ５において、割込報知部１４は、図５に示すように、仮に上記の所定位置（ソフトキーＫ４〜Ｋ６が配列された位置、図５の点線部）にメール受信通知画面Ｗ２を表示したとき、第一ソフトキーとしてのソフトキーＫ６が露出されないと判定する（Ｓ５；ＮＯ）。
【００３９】
この場合、割込報知部１４は、図５に示すように、第一ソフトキーとしてのソフトキーＫ６が露出されるよう、メール受信通知画面Ｗ２の表示位置を、上記の所定位置からソフトキーＫ１〜Ｋ３が配列された位置に変更する（Ｓ６）。そして、割込報知部１４は、ステップＳ６で変更後の表示位置において、メール受信通知画面Ｗ２をロック解除画面Ｗ１に重ねて表示する（Ｓ７）。
【００４０】
ステップＳ４において、予測部１２により第一ソフトキーが予測されなかった場合（Ｓ４；ＮＯ）、割込報知部１４は、図４に示すように、上記の所定位置（ソフトキーＫ４〜Ｋ６が配列された位置）において、メール受信通知画面Ｗ２をロック解除画面Ｗ１に重ねて表示する（Ｓ７）。
【００４１】
ステップＳ７の実行後は、ステップＳ２以降の処理が繰り返される。
【００４２】
尚、ステップＳ７の実行後、割込報知部１４は、ユーザーがメール受信通知画面Ｗ２をタッチしたまま移動させた場合、当該移動後の位置にメール受信通知画面Ｗ２を表示する。つまり、メール受信通知画面Ｗ２は、ユーザーによる所謂スワイプ操作によって移動可能に構成されている。これにより、ユーザーは、メール受信通知画面Ｗ２を表示したまま、ロック解除画面Ｗ１の操作を継続することができる。
【００４３】
また、ステップＳ７の実行後、割込報知部１４は、ユーザーがメール受信通知画面Ｗ２を二回連続してタッチ操作した場合、メール受信通知画面Ｗ２を非表示にする。つまり、メール受信通知画面Ｗ２は、ユーザーによる所謂ダブルタップ操作によって非表示になるように構成されている。これにより、ユーザーは、メール受信通知画面Ｗ２を非表示にして、ロック解除画面Ｗ１の操作を効率良く継続することができる。
【００４４】
その後、ロック解除画面Ｗ１内の１０個のソフトキーＫ０〜Ｋ９を用いた四桁の数字の入力が終了した場合（Ｓ２；ＹＥＳ）、制御部１０は、当該入力された四桁の数字が上記パスワードに一致するか否かを判定する（Ｓ８）。
【００４５】
制御部１０は、ステップＳ８において、入力された四桁の数字が上記パスワードが示す四桁の数字に一致すると判定した場合（Ｓ８；ＹＥＳ）、携帯装置１のロック状態を解除するための所定の処理を実行する（Ｓ９）。当該所定の処理において、表示制御部１１はロック解除画面Ｗ１を非表示にし、ロック状態の解除後に表示する画面として予め定められたホーム画面を表示部２１に表示する。
【００４６】
一方、制御部１０は、ステップＳ８において、入力された四桁の数字が上記パスワードが示す四桁の数字に一致しないと判定した場合（Ｓ８；ＮＯ）、入力された四桁の数字がパスワードに一致しない旨の警告メッセージを表示部２１に表示する。その後は、ステップＳ１以降の処理が繰り返される。
【００４７】
このように、上記実施形態の構成によれば、タッチ操作可能な表示部２１にロック解除画面Ｗ１が表示されている場合に、メール受信通知画面Ｗ２が表示されるとき、ロック解除画面Ｗ１に表示された１０個のソフトキーＫ０〜Ｋ９のうち、ユーザーが次に入力する可能性の高い文字に対応する第一ソフトキーが露出されるよう、第一ソフトキー以外の位置にメール受信通知画面Ｗ２が表示される。これにより、第一ソフトキーがメール受信通知画面Ｗ２によって隠れることが防止できる。その結果、ユーザーは、ロック解除画面Ｗ１に表示された１０個のソフトキーＫ０〜Ｋ９のうち、次にタッチ操作する可能性の高い第一ソフトキーを誤らずに且つ迅速にタッチ操作することができる。
【００４８】
また、１０個のソフトキーＫ０〜Ｋ９を何ら操作していない場合にメール受信通知画面Ｗ２が表示されたとき、パスワードの先頭文字が示す文字に対応するソフトキーが第一ソフトキーとして予測されるので、この先頭文字を入力するためのソフトキーがメール受信通知画面Ｗ２によって隠れることが防止できる。これにより、ユーザーは、パスワードの先頭文字が示す、最初に入力される可能性の高い文字に対応するソフトキーを誤らずに且つ迅速にタッチ操作することができる。
【００４９】
また、ユーザーが１０個のソフトキーＫ０〜Ｋ９のうちの何れかをタッチ操作して、パスワードにおいて先頭文字から始まる部分文字列と一致する文字列を入力していた場合に、メール受信通知画面Ｗ２が表示されたとする。この場合、上記実施形態の構成によれば、上記部分文字列の最終文字の次の文字に対応するソフトキーが第一ソフトキーとして予測されるので、この最終文字の次の文字を入力するためのソフトキーがメール受信通知画面Ｗ２によって隠れることが防止できる。これにより、ユーザーは、上記部分文字列の最終文字の次の文字が示す、次に入力される可能性の高い文字に対応するソフトキーを誤らずに且つ迅速にタッチ操作することができる。
【００５０】
尚、上記実施形態は、本発明に係る実施形態の例示に過ぎず、本発明を上記実施形態に限定する趣旨ではない。例えば、以下に示す変形実施形態であってもよい。
【００５１】
（１）予測部１２が、更に、１０個のソフトキーＫ０〜Ｋ９のうち、ユーザーが次の次に入力する可能性の高い文字に対応する第二ソフトキーを上記のパスワード（特定の文字列）を示すデータを用いて予測するようにしてもよい。これに合わせて、当該予測部１２により第一ソフトキー及び第二ソフトキーが予測された場合、割込報知部１４が、当該予測された第一ソフトキー及び第二ソフトキーが露出されるようにメール受信通知画面Ｗ２（割込報知画面）を表示するようにしてもよい。
【００５２】
具体的には、図３に示すように、記憶部４０に四桁の数字からなるパスワード「０６２６」を示すデータが予め記憶されているとする。この場合、変形実施形態（１）の予測部１２は、ステップＳ４において、ロック解除画面Ｗ１内の１０個のソフトキーＫ０〜Ｋ９が何れもタッチ操作されていないときは、上述のように、パスワードの先頭文字「０」に対応するソフトキーＫ０を第一ソフトキーとして予測する。更に、当該予測部１２は、パスワードにおいて先頭文字「０」の次の文字「６」に対応するソフトキーＫ６を、第二ソフトキーとして予測する。
【００５３】
一方、ユーザーがソフトキーＫ０とソフトキーＫ６とをタッチ操作し、二桁の数字からなる入力文字列「０６」を入力していたとする。この場合、当該予測部１２は、ステップＳ４において、上述のように、当該入力文字列「０６」が、パスワードにおいて先頭文字「０」から始まる部分文字列「０６」と一致すると判断する。そして、当該予測部１２は、パスワードにおいて当該部分文字列「０６」の最終文字「６」の次の文字「２」に対応するソフトキーＫ２を、第一ソフトキーとして予測する。更に、当該予測部１２は、パスワードにおいて当該部分文字列「０６」の最終文字「６」の次の次の文字「６」に対応するソフトキーＫ６を、第二ソフトキーでとして予測する。
【００５４】
また、ユーザーがソフトキーＫ０とソフトキーＫ６とソフトキーＫ２とを順次タッチ操作し、３桁の数字からなる入力文字列「０６２」を入力していたとする。この場合、当該予測部１２は、ステップＳ４において、当該入力文字列「０６２」がパスワードにおいて先頭文字「０」から始まる部分文字列「０６２」と一致すると判断する。そして、予測部１２は、上記部分文字列「０６２」の最終文字「２」の次の文字「６」に対応するソフトキーＫ６を第一ソフトキーとして予測する。しかし、この場合、パスワードにおいて上記部分文字列「０６２」の最終文字「２」の次の次の文字が存在しないので、当該予測部１２は、第二ソフトキーを予測しない。
【００５５】
これに合わせて、変形実施形態（１）の割込報知部１４は、変形実施形態（１）のステップＳ４において第一ソフトキー及び第二ソフトキーが予測された場合、ステップＳ５において、仮に上記の所定位置にメール受信通知画面Ｗ２を表示したとき、当該予測された第一ソフトキー及び第二ソフトキーが露出されるか否かを判定する。
【００５６】
図７は、予測部１２により第一ソフトキー及び第二ソフトキーが予測された場合におけるメール受信通知画面Ｗ２の表示態様の一例を示す図である。例えば、変形実施形態（１）のステップＳ４において、予測部１２がソフトキーＫ２を第一ソフトキーとして予測し、ソフトキーＫ６を第二ソフトキーとして予測したとする。
【００５７】
この場合、変形実施形態（１）のステップＳ５において、割込報知部１４は、図７に示すように、仮に上記の所定位置（ソフトキーＫ４〜Ｋ６が配列された位置、図７の点線部）にメール受信通知画面Ｗ２を表示したとき、第一ソフトキーとしてのソフトキーＫ２は露出されるが、第二ソフトキーとしてのソフトキーＫ６は露出されないと判定する（Ｓ５；ＮＯ）。
【００５８】
この場合、変形実施形態（１）のステップＳ６において、割込報知部１４は、図７に示すように、第一ソフトキーとしてのソフトキーＫ２及び第二ソフトキーとしてのソフトキーＫ６が露出されるよう、メール受信通知画面Ｗ２の表示位置を、上記の所定位置からソフトキーＫ７〜Ｋ９が配列された位置に変更する。そして、ステップＳ７において、割込報知部１４は、図７に示すように、メール受信通知画面Ｗ２を当該ステップＳ６で変更後の表示位置においてロック解除画面Ｗ１に重ねて表示する。
【００５９】
一方、変形実施形態（１）のステップＳ４において、予測部１２がソフトキーＫ２を第一ソフトキーとして予測し、ソフトキーＫ９を第二ソフトキーとして予測したとする。この場合、変形実施形態（１）のステップＳ５において、割込報知部１４は、図４に示すように、仮に上記の所定位置（ソフトキーＫ４〜Ｋ６が配列された位置）にメール受信通知画面Ｗ２を表示したとき、第一ソフトキーとしてのソフトキーＫ２及び第二ソフトキーとしてのソフトキーＫ９が露出されると判定する（Ｓ５；ＹＥＳ）。この場合、ステップＳ７において、割込報知部１４は、図４に示すように、上記の所定位置において、メール受信通知画面Ｗ２をロック解除画面Ｗ１に重ねて表示する。
【００６０】
また、変形実施形態（１）のステップＳ４において、予測部１２により第一ソフトキーが予測されたが、第二ソフトキーが予測されなかった場合、変形実施形態（１）の割込報知部１４は、上記実施形態で説明したステップＳ５、Ｓ６と同じ処理を行う。
【００６１】
変形実施形態（１）の構成によれば、ユーザーが次に入力する可能性の高い文字に対応する第一ソフトキーとユーザーが次の次に入力する可能性の高い文字に対応する第二ソフトキーとが露出されるよう、第一ソフトキー及び第二ソフトキー以外の位置にメール受信通知画面Ｗ２が表示される。これにより、第一ソフトキー及び第二ソフトキーがメール受信通知画面Ｗ２によって隠れることが防止できる。その結果、ユーザーは、ロック解除画面Ｗ１に表示された１０個のソフトキーＫ０〜Ｋ９のうち、次に連続してタッチ操作する可能性の高い二つのソフトキーを、誤らずに且つ迅速に連続してタッチ操作することができる。
【００６２】
また、１０個のソフトキーＫ０〜Ｋ９を何ら操作していない場合にメール受信通知画面Ｗ２が表示されたとき、パスワードの先頭文字が示す文字に対応するソフトキーが第一ソフトキーとして予測され、パスワードにおいて先頭文字の次の文字に対応するソフトキーが第二ソフトキーとして予測される。このため、パスワードの先頭文字が示す文字を入力するためのソフトキーとこの先頭文字の次の文字を入力するためのソフトキーとが、メール受信通知画面Ｗ２によって隠れることが防止できる。これにより、ユーザーは、パスワードの先頭文字が示す、最初に入力される可能性の高い文字に対応するソフトキーと、その次に入力される可能性の高い文字に対応するソフトキーと、を誤らずに且つ迅速に連続してタッチ操作することができる。
【００６３】
また、ユーザーが１０個のソフトキーＫ０〜Ｋ９のうちの何れかをタッチ操作して、パスワードにおいて先頭文字から始まる部分文字列と一致する文字列を入力していた場合に、メール受信通知画面Ｗ２が表示されたとする。この場合、変形実施形態（１）の構成によれば、上記部分文字列の最終文字の次の文字に対応するソフトキーが第一ソフトキーとして予測され、上記部分文字列の最終文字の次の次の文字に対応するソフトキーが第二ソフトキーとして予測される。このため、この最終文字の次の文字を入力するためのソフトキーとこの最終文字の次の次の文字を入力するためのソフトキーとが、メール受信通知画面Ｗ２によって隠れることが防止できる。これにより、ユーザーは、上記部分文字列の最終文字の次の文字が示す、次に入力される可能性の高い文字に対応するソフトキーと、その次に入力される可能性の高い文字に対応するソフトキーと、を誤らずに且つ迅速に連続してタッチ操作することができる。
【００６４】
（２）表示制御部１１が、上述したロック解除画面Ｗ１に代えて、文字を入力するための複数のソフトキーが配列された他の操作画面を表示部２１に表示するようにしてもよい。これに合わせて、上述したパスワードに代えて、当該他の操作画面を用いてユーザーが入力する可能性の高い特定の文字列を示すデータを記憶部４０に予め記憶するようにしてもよい。そして、予測部１２が、当該特定の文字列を用いて、上述した方法と同様の方法で、第一ソフトキー（及び第二ソフトキー）を予測するようにしてもよい。
【００６５】
（３）携帯装置１が複数のユーザーによって使用される装置である場合に、各ユーザーに対応するパスワードをそれぞれ記憶部４０に予め記憶するようにしてもよい。これに合わせて、制御部１０が、ステップＳ９における携帯装置１のロック状態を解除するための所定の処理において、ロック解除画面Ｗ１を用いて入力されたパスワードと、当該パスワードが入力された累積回数と、を対応付けて記憶部４０に記憶するようにしてもよい。そして、予測部１２が、最も多い累積回数と対応付けて記憶部４０に記憶されているパスワードを用いて、上述した方法と同様の方法で、第一ソフトキー（及び第二ソフトキー）を予測するようにしてもよい。
【００６６】
（４）本発明の操作画面は、ロック解除画面Ｗ１に限定されない。また、本発明の割込の発生は、電子メールの受信通知を示すデータが通信部３０によって受信されることに限定されない。また、本発明の割込報知画面は、電子メールの受信通知を示すデータが通信部３０によって受信されたことを報知するメール受信通知画面Ｗ２に限定されない。
【００６７】
例えば、携帯装置１が、スマートフォンやタブレット等の電子機器が有する周知のアラーム機能のように、複数のソフトキーが配列されたある第一操作画面の表示中に、所定のタイミングで、第一操作画面とは他の第二操作画面を第一操作画面に重ねて表示する機能を有していてもよい。この場合、表示制御部１１がロック解除画面Ｗ１に代えて第一操作画面を表示し、割込検知部１３が上記の所定のタイミングになったときに割込の発生を検知するようにしてもよい。そして、割込検知部１３により当該割込の発生が検知されたときに、割込報知部１４がメール受信通知画面Ｗ２に代えて第二操作画面を表示するようにしてもよい。
【００６８】
上記したように、本発明に係る情報処理装置（携帯装置１）は、タッチ操作可能な表示部２１と、文字を入力するための複数のソフトキーＫ０〜Ｋ９が配列された操作画面（ロック解除画面Ｗ１）を表示部２１に表示する表示制御部１１と、ユーザーが入力する可能性の高い特定の文字列を示すデータを予め記憶する記憶部４０と、割込の発生を検知する割込検知部１３と、割込検知部１３により割込の発生が検知された場合、割込の発生を報知するための割込報知画面（メール受信通知画面Ｗ２）を前記操作画面に重ねて表示する割込報知部１４と、複数のソフトキーＫ０〜Ｋ９のうちユーザーが次に入力する可能性の高い文字に対応する第一ソフトキーを前記特定の文字列を示すデータを用いて予測する予測部１２と、を備え、割込報知部１４は、予測部１２により予測された前記第一ソフトキーが露出されるように前記割込報知画面を表示する。
【００６９】
本構成によれば、タッチ操作可能な表示部２１に操作画面が表示されている場合に割込報知画面が表示されるとき、操作画面に表示された複数のソフトキーＫ０〜Ｋ９のうち、ユーザーが次に入力する可能性の高い文字に対応する第一ソフトキーが露出されるよう、第一ソフトキー以外の位置に割込報知画面が表示される。これにより、第一ソフトキーが割込報知画面によって隠れることが防止できる。その結果、ユーザーは、操作画面に表示された複数のソフトキーのうち、次にタッチ操作する可能性の高い第一ソフトキーを誤らずに且つ迅速にタッチ操作することができる。
【００７０】
また、予測部１２は、複数のソフトキーＫ０〜Ｋ９が何れもタッチ操作されていない場合、前記特定の文字列の先頭文字に対応するソフトキーを前記第一ソフトキーとすることが好ましい。
【００７１】
本構成によれば、複数のソフトキーＫ０〜Ｋ９を何ら操作していない場合に割込報知画面が表示されたとき、特定の文字列の先頭文字が示す文字に対応するソフトキーが第一ソフトキーとして予測されるので、この先頭文字を入力するためのソフトキーが割込報知画面によって隠れることが防止できる。これにより、ユーザーは、特定の文字列の先頭文字が示す、最初に入力される可能性の高い文字に対応するソフトキーを誤らずに且つ迅速にタッチ操作することができる。
【００７２】
また、予測部１２は、複数のソフトキーＫ０〜Ｋ９のタッチ操作により入力された入力文字列が、前記特定の文字列において先頭文字から始まる部分文字列と一致する場合、前記特定の文字列において前記部分文字列の最終文字の次の文字に対応するソフトキーを前記第一ソフトキーとすることが好ましい。
【００７３】
ユーザーが複数のソフトキーＫ０〜Ｋ９のうちの何れかをタッチ操作して、特定の文字列において先頭文字から始まる部分文字列と一致する文字列を入力していた場合に、割込報知画面が表示されたとする。この場合、本構成によれば、上記部分文字列の最終文字の次の文字に対応するソフトキーが第一ソフトキーとして予測されるので、この最終文字の次の文字を入力するためのソフトキーが割込報知画面によって隠れることが防止できる。これにより、ユーザーは、上記部分文字列の最終文字の次の文字が示す、次に入力される可能性の高い文字に対応するソフトキーを誤らずに且つ迅速にタッチ操作することができる。
【００７４】
また、予測部１２は、更に、複数のソフトキーＫ０〜Ｋ９のうち、ユーザーが次の次に入力する可能性の高い文字に対応する第二ソフトキーを前記特定の文字列を示すデータを用いて予測し、割込報知部１４は、予測部１２により予測された前記第一ソフトキー及び前記第二ソフトキーが露出されるように前記割込報知画面を表示することが好ましい。
【００７５】
本構成によれば、ユーザーが次に入力する可能性の高い文字に対応する第一ソフトキーとユーザーが次の次に入力する可能性の高い文字に対応する第二ソフトキーとが露出されるよう、第一ソフトキー及び第二ソフトキー以外の位置に割込報知画面が表示される。これにより、第一ソフトキー及び第二ソフトキーが割込報知画面によって隠れることが防止できる。その結果、ユーザーは、操作画面に表示された複数のソフトキーのうち、次に連続してタッチ操作する可能性の高い二つのソフトキーを、誤らずに且つ迅速に連続してタッチ操作することができる。
【００７６】
また、予測部１２は、複数のソフトキーＫ０〜Ｋ９が何れもタッチ操作されていない場合、前記特定の文字列の先頭文字に対応するソフトキーを前記第一ソフトキーとし、前記特定の文字列において先頭文字の次の文字に対応するソフトキーを前記第二ソフトキーとすることが好ましい。
【００７７】
本構成によれば、複数のソフトキーＫ０〜Ｋ９を何ら操作していない場合に割込報知画面が表示されたとき、特定の文字列の先頭文字が示す文字に対応するソフトキーが第一ソフトキーとして予測され、特定の文字列において先頭文字の次の文字に対応するソフトキーが第二ソフトキーとして予測される。このため、特定の文字列の先頭文字が示す文字を入力するためのソフトキーとこの先頭文字の次の文字を入力するためのソフトキーとが、割込報知画面によって隠れることが防止できる。これにより、ユーザーは、特定の文字列の先頭文字が示す、最初に入力される可能性の高い文字に対応するソフトキーと、その次に入力される可能性の高い文字に対応するソフトキーと、を誤らずに且つ迅速に連続してタッチ操作することができる。
【００７８】
また、予測部１２は、複数のソフトキーＫ０〜Ｋ９のタッチ操作により入力された入力文字列が、前記特定の文字列において先頭文字から始まる部分文字列と一致する場合、前記特定の文字列において前記部分文字列の最終文字の次の文字に対応するソフトキーを前記第一ソフトキーとし、前記特定の文字列において前記部分文字列の最終文字の次の次の文字に対応するソフトキーを前記第二ソフトキーとすることが好ましい。
【００７９】
ユーザーが複数のソフトキーＫ０〜Ｋ９のうちの何れかをタッチ操作して、特定の文字列において先頭文字から始まる部分文字列と一致する文字列を入力していた場合に、割込報知画面が表示されたとする。この場合、本構成によれば、上記部分文字列の最終文字の次の文字に対応するソフトキーが第一ソフトキーとして予測され、上記部分文字列の最終文字の次の次の文字に対応するソフトキーが第二ソフトキーとして予測される。このため、この最終文字の次の文字を入力するためのソフトキーとこの最終文字の次の次の文字を入力するためのソフトキーとが、割込報知画面によって隠れることが防止できる。これにより、ユーザーは、上記部分文字列の最終文字の次の文字が示す、次に入力される可能性の高い文字に対応するソフトキーと、その次に入力される可能性の高い文字に対応するソフトキーと、を誤らずに且つ迅速に連続してタッチ操作することができる。
【図１】
2016147755.tif 000003
【図２】
2016147755.tif 000004
【図３】
2016147755.tif 000005
【図４】
2016147755.tif 000006
【図５】
2016147755.tif 000007
【図６】
2016147755.tif 000008
【図７】
2016147755.tif 000009
【国際調査報告】
2016147755.tif 000010
2016147755.tif 000011
2016147755.tif 000012
2016147755.tif 000013